(57)【要約】【課題】複数色の記録材を要することなく、画像の潰れを抑制しつつ、画像の濃度の低下を防止することができる画像形成装置を提供する。【解決手段】濃度センサ２０及び濃度判定部７０により基準画像の濃度を取得すると共に、カウンタ６２により各ＬＥＤの発光回数をカウントし、濃度判定部７０で基準画像の濃度と濃度閾値とを比較することにより、基準画像の濃度が濃度閾値よりも低いか否かを判定し、発光回数判定部７４で発光回数と発光回数閾値とを比較することにより、発光回数が発光回数閾値を超えたか否かを判定し、基準画像の濃度が濃度閾値よりも低いという条件と発光回数が発光回数閾値を超えたという条件とのうち、少なくとも一方の条件を満足した場合に、画像形成処理制御部６４は、他の場合に比較して画像のコントラストを上げる。【選択図】図４
2008249849.tif 000002
【特許請求の範囲】
【請求項１】
画像情報に基づいて発光素子から照射される光ビームにより、帯電された表面に潜像が形成される像保持体と、
前記潜像をトナーにより現像し、可視像とする現像手段と、
前記発光素子の劣化の度合を示す特性値を取得する特性値取得手段と、
前記特性値取得手段により取得された前記特性値と予め定められた閾値とを比較することにより、前記発光素子の劣化の度合が予め定められた度合を超えたと判断した場合に、他の場合に比較して前記可視像のコントラストを上げるコントラスト調整手段と、
を備えた画像形成装置。
【請求項２】
前記特性値取得手段は、前記特性値として前記可視像の濃度及び前記発光素子による前記光ビームの照射回数の少なくとも一方を取得する
請求項１記載の画像形成装置。
【請求項３】
前記特性値取得手段が前記可視像の濃度を取得する場合、
前記コントラスト調整手段は、前記濃度と予め定められた濃度閾値とを比較し、前記濃度が前記濃度閾値よりも低い場合に前記コントラストを上げる
請求項２記載の画像形成装置。
【請求項４】
前記特性値取得手段が前記照射回数を取得する場合、
前記コントラスト調整手段は、前記照射回数と予め定められた回数閾値とを比較し、前記照射回数が前記回数閾値を超えた場合に前記コントラストを上げる
請求項２又は請求項３に記載の画像形成装置。
【請求項５】
前記コントラスト調整手段は、前記光ビームの照射レベルを上げる処理、前記現像手段に印加する電圧の大きさを変更する処理、前記像保持体の表面を帯電させるために前記像保持体に印加する電圧の大きさを変更する処理、及び前記トナーの濃度を高くする処理のうち、少なくとも１つの処理を実行することにより前記コントラストを上げる
請求項１乃至請求項４の何れか１項に記載の画像形成装置。
【請求項６】
前記コントラスト調整手段により前記コントラストを上げる場合、前記コントラストを上げる旨を報知する報知手段を更に備えた
請求項１乃至請求項５の何れか１項に記載の画像形成装置。
【請求項７】
前記コントラスト調整手段は、前記発光素子の劣化の度合が予め定められた度合を超えたと判断し、且つ、前記画像情報が予め定められた重要度の情報である場合に、前記コントラストを上げる
請求項１乃至請求項６の何れか１項に記載の画像形成装置。
【請求項８】
前記コントラスト調整手段により前記コントラストを上げるか否かを指示する指示入力を受け付ける受付手段を更に備え、
前記コントラスト調整手段は、前記発光素子の劣化の度合が予め定められた度合を超えたと判断し、且つ、前記受付手段が前記コントラストを上げることを指示する前記指示入力を受け付けた場合に、前記コントラストを上げる
請求項１乃至請求項６の何れか１項に記載の画像形成装置。
【請求項９】
前記コントラスト調整手段により前記コントラストを上げるか否かを指示する指示入力を受け付ける受付手段を更に備え、
前記コントラスト調整手段は、前記発光素子の劣化の度合が予め定められた度合を超えたと判断し、且つ、前記画像情報が予め定められた重要度の情報であると共に、前記受付手段が前記コントラストを上げることを指示する前記指示入力を受け付けた場合に、前記コントラストを上げる
請求項１乃至請求項６の何れか１項に記載の画像形成装置。
【発明の詳細な説明】
【技術分野】
【０００１】
本発明は、画像形成装置に関する。
【背景技術】
【０００２】
帯電、露光、現像、転写、定着の各工程により記録用紙などの記録媒体に画像を形成する電子写真方式の画像形成装置が知られている。
【０００３】
ところで、この種の画像形成装置では、露光系や現像系に異常が発生し、これが原因で記録媒体に形成される画像の濃度が低下してしまうといった問題が発生する場合がある。      
【０００４】
このような問題を解決すべく、特許文献１には、ブラックのトナーが消耗し、記録媒体に形成される画像の濃度が低下してしまうといった状況に陥った場合に、ブラック以外の色のトナーを使用して画像の形成を行う技術が開示されている。また、特許文献２には、コントラストが弱い場合に、輝度データを強制的に太線化する技術が開示されている。
【特許文献１】特開２００１−６１０４５公報
【特許文献２】特開２００１−９４８１１公報
【発明の開示】
【発明が解決しようとする課題】
【０００５】
本発明は、以上の背景技術においてなされたものであり、複数色の記録材を要することなく、画像の潰れを抑制しつつ、画像の濃度の低下を防止することができる画像形成装置を提供することを目的とする。
【課題を解決するための手段】
【０００６】
上記目的を達成するために、請求項１に記載の画像処理装置は、画像情報に基づいて発光素子から照射される光ビームにより、帯電された表面に潜像が形成される像保持体と、前記潜像をトナーにより現像し、可視像とする現像手段と、前記発光素子の劣化の度合を示す特性値を取得する特性値取得手段と、前記特性値取得手段により取得された前記特性値と予め定められた閾値とを比較することにより、前記発光素子の劣化の度合が予め定められた度合を超えたと判断した場合に、他の場合に比較して前記可視像のコントラストを上げるコントラスト調整手段と、を備えている。
【０００７】
また、請求項２に記載の発明は、請求項１に記載の発明において、前記特性値取得手段は、前記特性値として前記可視像の濃度及び前記発光素子による前記光ビームの照射回数の少なくとも一方を取得するものである。
【０００８】
また、請求項３に記載の発明は、請求項２に記載の発明において、前記特性値取得手段が前記可視像の濃度を取得する場合、前記コントラスト調整手段は、前記濃度と予め定められた濃度閾値とを比較し、前記濃度が前記濃度閾値よりも低い場合に前記コントラストを上げるものである。
【０００９】
また、請求項４に記載の発明は、請求項２又は請求項３に記載の発明において、前記特性値取得手段が前記照射回数を取得する場合、前記コントラスト調整手段は、前記照射回数と予め定められた回数閾値とを比較し、前記照射回数が前記回数閾値を超えた場合に前記コントラストを上げるものである。
【００１０】
また、請求項５に記載の発明は、請求項１乃至請求項４の何れか１項に記載の発明において、前記コントラスト調整手段は、前記光ビームの照射レベルを上げる処理、前記現像手段に印加する電圧の大きさを変更する処理、前記像保持体の表面を帯電させるために前記像保持体に印加する電圧の大きさを変更する処理、及び前記トナーの濃度を高くする処理のうち、少なくとも１つの処理を実行することにより前記コントラストを上げるものである。
【００１１】
また、請求項６に記載の発明は、請求項１乃至請求項５の何れか１項に記載の発明において、前記コントラスト調整手段により前記コントラストを上げる場合、前記コントラストを上げる旨を報知する報知手段を更に備えたものである。
【００１２】
また、請求項７に記載の発明は、請求項１乃至請求項６の何れか１項に記載の発明において、前記コントラスト調整手段は、前記発光素子の劣化の度合が予め定められた度合を超えたと判断し、且つ、前記画像情報が予め定められた重要度の情報である場合に、前記コントラストを上げるものである。
【００１３】
また、請求項８に記載の発明は、請求項１乃至請求項６の何れか１項に記載の発明において、前記コントラスト調整手段により前記コントラストを上げるか否かを指示する指示入力を受け付ける受付手段を更に備え、前記コントラスト調整手段は、前記発光素子の劣化の度合が予め定められた度合を超えたと判断し、且つ、前記受付手段が前記コントラストを上げることを指示する前記指示入力を受け付けた場合に、前記コントラストを上げるものである。
【００１４】
また、請求項９に記載の発明は、請求項１乃至請求項６の何れか１項に記載の発明において、前記コントラスト調整手段により前記コントラストを上げるか否かを指示する指示入力を受け付ける受付手段を更に備え、前記コントラスト調整手段は、前記発光素子の劣化の度合が予め定められた度合を超えたと判断し、且つ、前記画像情報が予め定められた重要度の情報であると共に、前記受付手段が前記コントラストを上げることを指示する前記指示入力を受け付けた場合に、前記コントラストを上げるものである。
【発明の効果】
【００１５】
請求項１に記載の発明によれば、本発明を適用しない場合に比較して、複数色の記録材を要することなく、画像の潰れを抑制しつつ、画像の濃度の低下を防止することができる、という効果が得られる。
【００１６】
また、請求項２に記載の発明によれば、本発明を適用しない場合に比較して、発光素子の劣化の度合が予め定められた度合を超えたか否かの判断を簡易に且つ精度良く行うことができる、という効果が得られる。
【００１７】
また、請求項３に記載の発明によれば、発光素子の劣化の度合を直接取得することに比べて、複数色の記録材を要することなく、画像の潰れを抑制しつつ、画像の濃度の低下を防止することを簡易に実現することができる、という効果が得られる。
【００１８】
また、請求項４に記載の発明によれば、発光素子の劣化の度合を直接取得することに比べて、複数色の記録材を要することなく、画像の潰れを抑制しつつ、画像の濃度の低下を防止することを簡易に実現することができる、という効果が得られる。
【００１９】
また、請求項５に記載の発明によれば、簡易な処理を実行するだけでコントラストを上げることができる、という効果が得られる。
【００２０】
また、請求項６に記載の発明によれば、ユーザはコントラストが上がることを知ることができる、という効果が得られる。
【００２１】
また、請求項７の記載の発明によれば、発光素子の劣化の度合が予め定められた度合を超え、且つ、画像情報が予め定められた重要度の情報である場合に、複数色の記録材を要することなく、画像の潰れを抑制しつつ、画像の濃度の低下を防止することができる、という効果が得られる。
【００２２】
また、請求項８に記載の発明によれば、発光素子の劣化の度合が予め定められた度合を超え、且つ、ユーザがコントラストを上げることを指示した場合に、複数色の記録材を要することなく、画像の潰れを抑制しつつ、画像の濃度の低下を防止することができる、という効果が得られる。
【００２３】
また、請求項９に記載の発明によれば、発光素子の劣化の度合が予め定められた度合を超え、且つ、画像情報が予め定められた重要度の情報であると共に、ユーザがコントラストを上げることを指示した場合に、複数色の記録材を要することなく、画像の潰れを抑制しつつ、画像の濃度の低下を防止することができる、という効果が得られる。
【発明を実施するための最良の形態】
【００２４】
以下、図面を参照して本発明を実施するための最良の形態について詳細に説明する。
【００２５】
図１には、本発明が適用された画像形成装置１０の構成例が示されている。同図に示すように、本実施形態に係る画像形成装置１０の内部には、像保持体としての感光体ドラム１２が備えられている。この感光体ドラム１２は表面に感光体層が被覆されており、図示しない駆動手段により、図中において時計回り方向である矢印Ａ方向（副走査方向）に回転駆動される。
【００２６】
感光体ドラム１２の周面には、感光体ドラム１２の表面を帯電させるための帯電ローラ１４が備えられている。帯電ローラ１４は、導電性のローラであり、その周面が感光体ドラム１２の周面に接触し、かつ帯電ローラ１４の軸線方向と感光体ドラム１２の軸線方向とが一致するように配置されている。
【００２７】
帯電ローラ１４には、所定の電圧が印加され、感光体ドラム１２の回転に追従するように回転しながら、感光体ドラム１２の表面を所定の電位に一様に帯電させる。
【００２８】
感光体ドラム１２の回転方向の帯電ローラ１４よりも下流側の周面上には、帯電ローラ１４によって感光体ドラム１２の表面が帯電された後、感光体ドラム１２の表面に光ビームを照射し、感光体ドラム１２の表面に静電潜像を形成するためのＬＥＤ（発光ダイオード）プリンタヘッド（以下、「ＬＰＨ」という。）１６が備えられている。ＬＰＨ１６は、表面が帯電ローラ１４により一様に帯電された感光体ドラム１２の軸線方向（主走査方向）に、画像データに基づく光ビームを走査しながら照射する。感光体ドラム１２の表面において、ＬＰＨ１６により光ビームが照射された領域の電位は上昇し、感光体ドラム１２の表面に静電潜像が形成される。
【００２９】
感光体ドラム１２の回転方向のＬＰＨ１６よりも下流側の周囲には、感光体ドラム１２の表面に形成された静電潜像をブラックのトナーによって現像してトナー像を形成させる現像手段としての現像器１８が備えられている。この現像器１８は、トナーを攪拌して所定の現像バイアスで帯電させる。帯電したトナーは、感光体ドラム１２の表面の静電潜像に電気的に付着し、トナー像を形成する。
【００３０】
感光体ドラム１２の回転方向の現像器１８よりも下流側の周囲には、感光体ドラム１２の表面に形成される後述する基準画像の濃度を測定する濃度センサ２０が備えられている。
【００３１】
また、画像形成装置１０の内部には、給紙トレイ２２が備えられている。給紙トレイ２２内には、記録用紙２４が収容されており、画像形成時には給紙トレイ２２内の記録用紙２４が図示しないローラにより１枚ずつ取り出されて画像形成装置１０の内部を所定の搬送経路Ｆに沿って矢印Ｂ方向へ搬送される。
【００３２】
感光体ドラム１２の回転方向の濃度センサ２０よりも下流側であって、感光体ドラム１２の略真下には、軸線方向が感光体ドラム１２の軸線方向と一致するように配置され、且つ、搬送経路Ｆを挟んだ状態で転写ローラ２６が備えられている。この転写ローラ２６は、感光体ドラム１２との間で記録用紙２４を挟持すると共に、矢印Ｃ方向に回転することで、記録用紙２４の表面を感光体ドラム１２の表面に接触させながら、記録用紙２４を所定の速度で搬送経路Ｆに沿って矢印Ｂ方向に搬送する。また、転写ローラ２６は、所定の電圧が印加され、感光体ドラム１２の表面の静電潜像に付着したトナーを記録用紙２４上に転写させる。
【００３３】
ところで、転写ローラ２６では、感光体ドラム１２の表面に付着した全てのトナーを記録用紙２４に転写させることはできず、転写ローラ２６の配置位置を通過した感光体ドラム１２上には、トナーが僅かに残留する。そこで、感光体ドラム１２の回転方向の転写ローラ２６よりも下流側の周囲には、クリーナー２８が備えられている。このクリーナー２８は、感光体ドラム１２の表面に残留したトナーを除去する。
【００３４】
トナーが転写された記録用紙２４は、搬送経路Ｆに沿って更に矢印Ｂ方向へと搬送され、定着器３０に送られる。この定着器３０は、上下２本のローラを有し、中空となっている上部のローラ内にあるハロゲンランプの熱と、２本のローラによる挟圧とでトナーを記録用紙２４に定着させる。
【００３５】
トナーが定着された記録用紙２４は、更に矢印Ｂ方向へと搬送され、画像形成装置１０の筐体の外壁に備えられた排出トレイ３２へ排出される。
【００３６】
次に、図２を参照して、本実施形態に係るＬＰＨ１６の構成を説明する。
【００３７】
図２（Ａ）に示すように、ＬＰＨ１６は、ＬＥＤアレイ９０を備えている。ＬＥＤアレイ９０から照射される光ビームは、レンズアレイ９２によって感光体ドラム１２の表面に結像される。このようにして、ＬＰＨ１６は、感光体ドラム１２の軸線方向に沿って光ビームを照射することで主走査を行う。
【００３８】
ＬＥＤアレイ９０は、図２（Ｂ）に示すように、複数のＬＥＤ９４が配列された複数のＬＥＤチップ９６を含んで構成されている。ＬＥＤチップ９６は、主走査方向に沿って直線状、又は図２（Ｂ）に示すように副走査方向に交互に千鳥状に配列されている。
【００３９】
次に、図３を参照して、画像形成装置１０において特に重要な役割を担う電気系の要部構成を説明する。
【００４０】
同図に示すように、画像形成装置１０は、ＣＰＵ（中央処理装置）３４、ＲＯＭ（Read Only Memory）３６、ＲＡＭ（Random Access Memory）３８、報知手段及び受付手段としてのＵＩパネル４０、通信インタフェース４４、ファクシミリ（以下、「ＦＡＸ」という。）部４６、トナー供給制御部４８、現像器制御部５２、帯電ローラ制御部５６、及びＬＰＨ制御部６０を備えている。
【００４１】
ＣＰＵ３４は、画像形成装置１０全体の動作を司るものである。ＲＯＭ３６は、画像形成装置１０の作動を制御する制御プログラム、後述する画像形成処理プログラムや各種データ等を予め記憶したものである。ＲＡＭ３８は、各種プログラムの実行時のワークエリア等として用いられるものである。
【００４２】
ＵＩパネル４０は、ディスプレイ上にタッチパネルが重ねられたタッチパネルディスプレイ等から構成され、各種情報を画面に表示すると共に、ユーザが操作することにより所望の情報や指示を入力するためのものである。
【００４３】
通信インタフェース４４は、外部のパーソナルコンピュータ等の端末４２に接続され、端末４２から記録用紙２４に形成する画像を示す画像データ等を受信するものである。
【００４４】
ＦＡＸ部４６は、図示しない電話回線に接続され、当該電話回線を介して画像データ等の送受信を行うものである。
【００４５】
トナー供給制御部４８は、現像器１８に接続され、現像器１８内にトナーを供給する場合にトナーの供給量を制御するものである。また、現像器制御部５２は、現像器用電源５０を介して現像器１８に接続され、現像器１８に印加する電圧を制御するものである。また、帯電ローラ制御部５６は、帯電ローラ用電源５４を介して帯電ローラ１４に接続され、帯電ローラ１４に印加する電圧を制御するものである。更に、ＬＰＨ制御部６０は、ＬＰＨ用電源５８を介してＬＰＨ１６に接続され、ＬＰＨ１６に印加する電圧を制御するものである。
【００４６】
ＣＰＵ３４、ＲＯＭ３６、ＲＡＭ３８、ＵＩパネル４０、通信インタフェース４４、ファクシミリ部４６、トナー供給制御部４８、現像器制御部５２、帯電ローラ制御部５６、及びＬＰＨ制御部６０はシステムバスＢＵＳにより電気的に相互に接続されている。従って、ＣＰＵ３４は、ＲＡＭ３８、及びＲＯＭ３６へのアクセスと、通信インタフェース４４を介した端末４２との各種情報の授受の制御と、ＦＡＸ部４６との各種情報の授受の制御と、トナー供給制御部４８を介した現像器１８へのトナーの供給量の制御と、現像器制御部５２を介した現像器１８に印加する電圧の制御と、帯電ローラ制御部５６を介した帯電ローラ１４に印加する電圧の制御と、ＬＰＨ制御部６０を介したＬＰＨ１６に印加する電圧の制御と、を各々行うことができる。
【００４７】
また、ＣＰＵ３４には、前述した濃度センサ２０とカウンタ６２とが接続されている。
【００４８】
濃度センサ２０は、ＬＰＨ１６を構成している複数のＬＥＤ９４の各々毎に設けられており、後述する基準画像の濃度を測定し、その濃度を信号化してＣＰＵ３４に出力する。
【００４９】
カウンタ６２は、ＬＰＨ１６を構成している複数のＬＥＤ９４の発光回数をカウントするものである。
【００５０】
図４は、ＣＰＵ３４の機能的な構成を示す機能ブロック図である。同図に示されるように、ＣＰＵ３４は、画像形成処理制御部６４、基準画像信号発生部６６、基準画像データ記憶部６８、濃度判定部７０、濃度閾値記憶部７２、発光回数判定部７４、発光回数閾値記憶部７６、帯電ローラ用印加電圧値記憶部７８、ＬＰＨ制御用データ記憶部８０、現像器用印加電圧値記憶部８２、及びトナー供給用データ記憶部８４を備えている。
【００５１】
画像形成処理制御部６４は、端末４２から通信インタフェース４４を介して入力された画像データやＦＡＸ部４６から入力された画像データ等に基づいて、ＬＰＨ１６、帯電ローラ１４、現像器１８、転写ローラ２６等を制御し、記録用紙２４に画像を形成する。
【００５２】
画像形成処理制御部６４には、基準画像信号発生部６６が接続されている。基準画像信号発生部６６は、画像形成処理制御部６４に予め定められた重要度の画像データ、例えばＦＡＸ部４６から画像データが入力された場合に、感光体ドラム１２の表面にトナーで基準画像を形成することを指示する基準画像信号を画像形成処理制御部６４に出力する。
【００５３】
画像形成処理制御部６４には基準画像データ記憶部６８が接続されている。基準画像データ記憶部６８には感光体ドラム１２の表面に形成される基準画像を示す画像データ（以下、「基準画像データ」という。）が予め記憶されている。
【００５４】
画像形成処理制御部６４は、基準画像信号発生部６６から基準画像信号が入力されると、基準画像データ記憶部６８から基準画像データを読み出し、この基準画像データに基づいてＬＰＨ１６、帯電ローラ１４、現像器１８等を制御し、感光体ドラム１２の表面の画像形成領域にトナーで基準画像を形成する。本実施形態における基準画像とは、各ＬＥＤ９４に同一の電圧を印加することにより各ＬＥＤ９４から感光体ドラム１２の表面に照射される光ビームによって形成される一様画像（ベタ画像）であり、この基準画像は、端末４２又はＦＡＸ部４６から画像形成処理制御部６４に入力される画像データに基づいて記録用紙２４に画像を形成する直前の非画像形成時に感光体ドラム１２の表面の画像形成領域に形成される。
【００５５】
画像形成処理制御部６４には濃度判定部７０が接続されており、濃度判定部７０には濃度センサ２０が接続されている。
【００５６】
複数のＬＥＤ９４の各々毎に設けられている濃度センサ２０は、感光体ドラム１２の表面の画像形成領域に形成された基準画像の濃度を測定し、その測定結果を示す信号（以下、「濃度信号」という。）を濃度判定部７０に出力する。
【００５７】
濃度判定部７０には濃度閾値記憶部７２が接続されている。この濃度閾値記憶部７２には濃度閾値が予め記憶されている。濃度閾値は、基準画像を記録用紙２４に転写したときに記録用紙２４上の基準画像が視認可能とされる濃度の下限値として定められる値であり、本実施形態では、画像形成装置１０の実機による試験や、画像形成装置１０の設計仕様等に基づいてコンピュータ・シミュレーション等によって予め得られた値を適用している。
【００５８】
濃度判定部７０は、複数のＬＥＤ９４の各々毎に設けられている濃度センサ２０の全てから濃度信号が入力されると、全ての濃度センサ２０で測定された濃度の平均値（以下、これを「基準画像の濃度」とする。）を算出すると共に、濃度閾値記憶部７２から濃度閾値を読み出す。そして、基準画像の濃度と濃度閾値とを比較し、基準画像の濃度が濃度閾値よりも低いか否かを判定し、その判定結果を示す信号を画像形成処理制御部６４に出力する。なお、本実施形態では、濃度センサ２０及び濃度判定部７０が特性値取得手段として機能する。
【００５９】
画像形成処理制御部６４には発光回数判定部７４が接続されており、発光回数判定部７４にはカウンタ６２が接続されている。
【００６０】
発光回数判定部７４には発光回数閾値記憶部７６が接続されている。この発光回数閾値記憶部７６には発光回数閾値が予め記憶されている。発光回数閾値は、ＬＰＨ１６を構成している複数のＬＥＤ９４の発光回数の記録用紙２４に形成される画像が視認可能とされる上限値として定められる値であり、本実施形態では、画像形成装置１０の実機による試験や、画像形成装置１０の設計仕様等に基づいてコンピュータ・シミュレーション等によって予め得られた値を適用している。
【００６１】
カウンタ６２は、画像形成が行われ、各ＬＥＤ９４が１回発光する毎にカウント値を１ずつ加算していき、そのカウント値を図示しない内蔵メモリに保持する。なお、ＬＰＨ１６を交換した場合にはカウンタ６２のカウント値はリセットされる。
【００６２】
発光回数判定部７４は、画像形成処理制御部６４に端末４２又はＦＡＸ部４６から画像データが入力されると、発光回数閾値記憶部７６から発光回数閾値を読み出すと共に、カウンタ６２の内蔵メモリから発光回数を読み出す。そして、発光回数と発光回数閾値とを比較し、発光回数が発光回数閾値よりも大きいか否かを判定し、その判定結果を示す信号を画像形成処理制御部６４に出力する。なお、本実施形態では、カウンタ６２及び発光回数判定部７４が特性値取得手段として機能する。
【００６３】
画像形成処理制御部６４にはＬＰＨ制御用データ記憶部８０が接続されている。ＬＰＨ制御用データ記憶部８０には、画像形成処理制御部６４に入力された画像データに含まれる濃度を示すデータからＬＰＨ１６から照射される光ビームの照射レベルを導出する際に利用されるテーブルが予め記憶されている。
【００６４】
このテーブルは、画像データに含まれる濃度を示すデータとＬＰＨ１６から照射される光ビームの照射レベルとが対応付けられたものである。
【００６５】
上記テーブルには通常コントラスト用テーブルと高コントラスト用テーブルとがあり、通常コントラスト用テーブルは、記録用紙２４に通常のコントラストとなるように画像を形成する場合に使用されるものであり、高コントラスト用テーブルは、記録用紙２４に通常のコントラストよりも高いコントラストとなるように画像を形成する場合に使用されるものである。即ち、高コントラスト用テーブルは通常コントラスト用テーブルに比べて、同じ濃度を示すデータに対してより高い照射レベルが導出されるように構成されている。
【００６６】
画像形成処理制御部６４は、記録用紙２４に通常のコントラストとなるように画像を形成する場合にはＬＰＨ制御用データ記憶部８０から通常コントラスト用テーブルを読み出し、この通常コントラスト用テーブルに従って、画像データに含まれる濃度を示すデータからＬＰＨ１６から照射される光ビームの照射レベルを導出し、当該照射レベルを示す信号をＬＰＨ制御部６０に出力する。
【００６７】
一方、画像形成処理制御部６４は、記録用紙２４に通常のコントラストよりも高いコントラストとなるように画像を形成する場合にはＬＰＨ制御用データ記憶部８０から高コントラスト用テーブルを読み出し、この高コントラスト用テーブルに従って、画像データに含まれる濃度を示すデータからＬＰＨ１６から照射される光ビームの照射レベルを導出し、当該照射レベルを示す信号をＬＰＨ制御部６０に出力する。
【００６８】
ＬＰＨ制御部６０は、画像形成処理制御部６４から信号が入力されると、画像形成処理制御部６４で通常コントラスト用テーブル又は高コントラスト用テーブルに基づいて導出された照射レベルで光ビームをＬＰＨ１６から照射するようにＬＰＨ用電源５８を制御する。
【００６９】
なお、本実施形態では、ＬＰＨ制御用データ記憶部８０にテーブルが記憶されている例を挙げているが、テーブルの代わりに演算式が記憶されていても良い。この場合の演算式とは、画像形成処理制御部６４に入力された画像データに含まれる濃度を示すデータを入力とし、ＬＰＨ１６から照射される光ビームの照射レベルを解とする演算式である。また、この演算式には上記テーブルと同様に通常コントラスト用演算式と高コントラスト用演算式とがあり、通常コントラスト用演算式は、記録用紙２４に通常のコントラストとなるように画像を形成する場合に使用され、高コントラスト用演算式は、記録用紙２４に通常のコントラストよりも高いコントラストとなるように画像を形成する場合に使用される。即ち、高コントラスト用演算式は通常コントラスト用演算式に比べて、同じ濃度を示すデータに対してより高い照射レベルが導出される演算式になっている。
【００７０】
画像形成処理制御部６４には帯電ローラ用印加電圧値記憶部７８が接続されている。帯電ローラ用印加電圧値記憶部７８には、通常コントラスト用印加電圧値「−α（Ｖ）」と高コントラスト用印加電圧値「−β（Ｖ）」とが予め記憶されている。ここで、αとβは共に正の値であり、α＜βの関係を満たしている。
【００７１】
帯電ローラ用印加電圧値記憶部７８に予め記憶されている通常コントラスト用印加電圧値「−α（Ｖ）」は、記録用紙２４に通常のコントラストとなるように画像を形成する場合に画像形成処理制御部６４によって読み出され、帯電ローラ制御部５６に入力され、帯電ローラ制御部５６によって帯電ローラ１４に対して「−α（Ｖ）」の電圧が印加される一方、帯電ローラ用印加電圧値記憶部７８に予め記憶されている高コントラスト用印加電圧値「−β（Ｖ）」は、記録用紙２４に通常のコントラストよりも高いコントラストとなるように画像を形成する場合に画像形成処理制御部６４によって読み出され、帯電ローラ制御部５６に入力され、帯電ローラ制御部５６によって帯電ローラ１４に対して「−β（Ｖ）」の電圧が印加される。
【００７２】
画像形成処理制御部６４には現像器用印加電圧値記憶部８２が接続されている。現像器用印加電圧値記憶部８２には、通常コントラスト用印加電圧値「−ｐ（Ｖ）」と高コントラスト用印加電圧値「−ｑ（Ｖ）」とが予め記憶されている。ここで、ｐとｑは共に正の値であり、ｐ＜ｑの関係を満たしている。
【００７３】
現像器用印加電圧値記憶部８２に予め記憶されている通常コントラスト用印加電圧値「−ｐ（Ｖ）」は、記録用紙２４に通常のコントラストとなるように画像を形成する場合に画像形成処理制御部６４によって読み出され、現像器制御部５２に入力され、現像器制御部５２によって現像器１８に対して「−ｐ（Ｖ）」の電圧が印加される一方、現像器用印加電圧値記憶部８２に予め記憶されている高コントラスト用印加電圧値「−ｑ（Ｖ）」は、記録用紙２４に通常のコントラストよりも高いコントラストとなるように画像を形成する場合に画像形成処理制御部６４によって読み出され、現像器制御部５２に入力され、現像器制御部５２によって現像器１８に対して「−ｑ（Ｖ）」の電圧が印加される。
【００７４】
画像形成処理制御部６４にはトナー供給用データ記憶部８４が接続されている。トナー供給用データ記憶部８４には、画像形成処理制御部６４に入力された画像データに含まれる濃度を示すデータから現像器１８内に供給するトナーの量を導出する際に利用されるテーブルが予め記憶されている。
【００７５】
このテーブルは、画像データに含まれる濃度を示すデータと現像器１８内に供給するトナーの量とが対応付けられたものである。
【００７６】
上記テーブルには通常コントラスト用テーブルと高コントラスト用テーブルとがあり、通常コントラスト用テーブルは、記録用紙２４に通常のコントラストとなるように画像を形成する場合に使用されるものであり、高コントラスト用テーブルは、記録用紙２４に通常のコントラストよりも高いコントラストとなるように画像を形成する場合に使用されるものである。即ち、高コントラスト用テーブルは通常コントラスト用テーブルに比べて、同じ濃度を示すデータに対してより大きなトナー量が導出されるように構成されている。
【００７７】
画像形成処理制御部６４は、記録用紙２４に通常のコントラストとなるように画像を形成する場合にはトナー供給用データ記憶部８４から通常コントラスト用テーブルを読み出し、この通常コントラスト用テーブルに従って、画像データに含まれる濃度を示すデータから現像器１８内に供給するトナーの量を導出し、当該トナーの量を示す信号をトナー供給制御部４８に出力する。
【００７８】
一方、画像形成処理制御部６４は、記録用紙２４に上記の通常のコントラストよりも高いコントラストとなるように画像を形成する場合にはトナー供給用データ記憶部８４から高コントラスト用テーブルを読み出し、この高コントラスト用テーブルに従って、画像データに含まれる濃度を示すデータから現像器１８内に供給するトナーの量を導出し、当該トナーの量を示す信号をトナー供給制御部４８に出力する。
【００７９】
トナー供給制御部４８は、画像形成処理制御部６４から信号が入力されると、画像形成処理制御部６４で通常コントラスト用テーブル又は高コントラスト用テーブルに基づいて導出されたトナーの量でトナーを現像器１８内に供給するように図示しないトナーカートリッジを制御する。
【００８０】
なお、本実施形態では、トナー供給用データ記憶部８４にテーブルが記憶されている例を挙げているが、テーブルの代わりに演算式が記憶されていても良い。この場合の演算式とは、画像形成処理制御部６４に入力された画像データに含まれる濃度を示すデータを入力とし、現像器１８内に供給するトナーの量を解とする演算式である。また、この演算式には上記テーブルと同様に通常コントラスト用演算式と高コントラスト用演算式とがあり、通常コントラスト用演算式は、記録用紙２４に通常のコントラストとなるように画像を形成する場合に使用され、高コントラスト用演算式は、記録用紙２４に通常のコントラストよりも高いコントラストとなるように画像を形成する場合に使用される。即ち、高コントラスト用演算式は通常コントラスト用演算式に比べて、同じ濃度を示すデータに対してより大きなトナー量が導出される演算式になっている。
【００８１】
画像形成処理制御部６４は、所定の条件が満たされたことを契機に、通常のコントラストとなるように記録用紙２４に画像を形成する通常コントラストモードから通常のコントラストよりも高いコントラストとなるように記録用紙２４に画像を形成する高コントラストモードに移行する。
【００８２】
また、画像形成処理制御部６４は、通常モードから高コントラストモードに移行したことを契機に、ＵＩパネル４０に対して通常モードから高コントラストモードに移行した旨を示すメッセージを表示させる。
【００８３】
ＵＩパネル４０に対してユーザが通常コントラストモードにするか高コントラストモードにするかを指示する指示入力を行うと、ＵＩパネル４０は、指示入力に対応した信号を画像形成処理制御部６４に出力する。画像形成処理制御部６４は、当該信号がＵＩパネル４０から入力されると、ＵＩパネル４０に通常コントラストモードにする指示が入力されたのか、或いは高コントラストモードにする指示が入力されたのかを判別する。
【００８４】
通常コントラストモードで記録用紙２４に画像を形成する場合、画像形成処理制御部６４は、ＬＰＨ制御用データ記憶部８０から通常コントラスト用テーブルを読み出し、このテーブルに従って、ＬＰＨ１６から照射される光ビームの照射レベルを導出し、ＬＰＨ制御部６０に対して当該照射レベルでＬＰＨ１６から光ビームを照射させる処理（以下、「通常コントラスト用照射処理」という。）と、帯電ローラ用印加電圧値記憶部７８から通常コントラスト用印加電圧値「−α（Ｖ）」を読み出し、帯電ローラ制御部５６に対して通常コントラスト用印加電圧値「−α（Ｖ）」で帯電ローラ１４に電圧を印加させる処理（以下、「通常コントラスト用帯電ローラ電圧印加処理」という。）と、現像器用印加電圧値記憶部８２から通常コントラスト用印加電圧値「−ｐ（Ｖ）」を読み出し、現像器制御部５２に対して通常コントラスト用印加電圧値「−ｐ（Ｖ）」で現像器１８に電圧を印加させる処理（以下、「通常コントラスト用現像器電圧印加処理」という。）と、トナー供給用データ記憶部８４から通常コントラスト用テーブルを読み出し、このテーブルに従って、現像器１８内に供給するトナーの量を導出し、トナー供給制御部４８に対して当該トナー量で現像器１８内にトナーを供給させる処理（以下、「通常コントラスト用トナー供給処理」という。）と、を実行する。
【００８５】
一方、高コントラストモードで記録用紙２４に画像を形成する場合、画像形成処理制御部６４は、ＬＰＨ制御用データ記憶部８０から高コントラスト用テーブルを読み出し、このテーブルに従って、ＬＰＨ１６から照射される光ビームの照射レベルを導出し、ＬＰＨ制御部６０に対して当該照射レベルでＬＰＨ１６から光ビームを照射させる処理（以下、「高コントラスト用照射処理」という。）と、帯電ローラ用印加電圧値記憶部７８から高コントラスト用印加電圧値「−β（Ｖ）」を読み出し、帯電ローラ制御部５６に対して高コントラスト用印加電圧値「−β（Ｖ）」で帯電ローラ１４に電圧を印加させる処理（以下、「高コントラスト用帯電ローラ電圧印加処理」という。）と、現像器用印加電圧値記憶部８２から高コントラスト用印加電圧値「−ｑ（Ｖ）」を読み出し、現像器制御部５２に対して高コントラスト用印加電圧値「−ｑ（Ｖ）」で現像器１８に電圧を印加させる処理（以下、「高コントラスト用現像器電圧印加処理」という。）と、トナー供給用データ記憶部８４から高コントラスト用テーブルを読み出し、このテーブルに従って、現像器１８内に供給するトナーの量を導出し、トナー供給制御部４８に対して当該トナー量で現像器１８内にトナーを供給させる処理（以下、「高コントラスト用トナー供給処理」という。）とのうち、予め定められた１つの処理を実行する。
【００８６】
なお、図４に示すように構成されたＣＰＵ３４の各構成要素による処理は、プログラムを実行することにより、コンピュータを利用してソフトウェア構成により実現することができる。但し、ソフトウェア構成による実現に限られるものではなく、ハードウェア構成や、ハードウェア構成とソフトウェア構成の組み合わせによって実現することもできることは言うまでもない。
【００８７】
以下では、本実施形態に係る画像形成装置１０が、上記プログラム（以下、「画像形成処理プログラム」という。）を実行することにより上記各構成要素による処理を実現するものとされている場合について説明する。この場合、当該画像形成処理プログラムを画像形成装置１０に予めインストールしておく形態や、コンピュータ読み取り可能な記録媒体に格納された状態で提供される形態、有線又は無線による通信手段を介して配信される形態等を適用することができる。
【００８８】
次に、図５を参照して、上記画像形成処理プログラムを実行する際の画像形成装置１０の作用を説明する。なお、図５は、端末４２又はＦＡＸ部４６から画像データが入力された際にＣＰＵ３４によって実行される画像形成処理プログラムの処理の流れを示すフローチャートである。
【００８９】
同図のステップ１００では、端末４２又はＦＡＸ部４６から画像データが入力されると、その画像データが所定の重要度の画像データ、例えば、ＦＡＸ部４６で受信された画像データであるか否かを判定する。ここで、否定判定となった場合には後述するステップ１１８へ移行する一方、肯定判定となった場合にはステップ１０２へ移行する。
【００９０】
ステップ１０２では、カウンタ６２の内蔵メモリから発光回数を読み出すと共に、発光回数閾値記憶部７６から発光回数閾値を読み出す。
【００９１】
次のステップ１０４では、ステップ１００で入力された画像データにより示される画像の形成を行う直前の非画像形成時に感光体ドラム１２の表面の画像形成領域に対して基準画像を作成し、更に、次のステップ１０６では、各濃度センサ２０での測定結果に基づいて基準画像の濃度を算出すると共に、濃度閾値記憶部７２から濃度閾値を読み出す。
【００９２】
次のステップ１０８では、「基準画像の濃度」＜「濃度閾値」の関係及び「発光回数」＞「発光回数閾値」の関係の少なくとも一方の関係を満たしているか否かを判定する。ここで、否定判定となった場合には後述するステップ１１８へ移行する一方、肯定判定となった場合にはステップ１１０へ移行する。
【００９３】
ステップ１１０では、前述した指示入力を行うことにより何れのコントラストモードにするか指定済みであるか否かを判定する。ここで、否定判定となった場合にはステップ１１２へ移行する一方、肯定判定となった場合には後述するステップ１１６へ移行する。
【００９４】
ステップ１１２では、ユーザに通常コントラストモードと高コントラストモードとの何れか一方を指定することを促すメッセージをＵＩパネル４０のタッチパネルディスプレイに表示させる。
【００９５】
次のステップ１１４では、ＵＩパネル４０に対する通常コントラストモード及び高コントラストモードの何れか一方を指示する指示入力があったか否かを判定する。ここで、肯定判定となるまで待機した後、ステップ１１６へ移行する。
【００９６】
ステップ１１６では、ユーザが通常コントラストモードを指定したか否かを判定する。ここで、否定判定となった場合にはステップ１２０へ移行する一方で、肯定判定となった場合にはステップ１１８へ移行する。
【００９７】
ステップ１１８では、通常コントラストモードで記録用紙２４にステップ１０２で入力された画像データにより示される画像を形成する処理を実行する。即ち、前述した通常コントラスト用照射処理と、前述した通常コントラスト用帯電ローラ電圧印加処理と、前述した通常コントラスト用現像器電圧印加処理と、通常コントラスト用トナー供給処理とを実行する。通常コントラストモードで記録用紙２４に画像を形成する処理が終了するとステップ１２４へ移行する。
【００９８】
ステップ１２０では、ＵＩパネル４０のタッチパネルディスプレイにコントラストを上げる旨を示すメッセージを表示させ、更に、次のステップ１２２では、高コントラストモードで記録用紙２４にステップ１００で入力された画像データにより示される画像を形成する処理を実行する。即ち、前述した高コントラスト用照射処理と、前述した高コントラスト用帯電ローラ電圧印加処理と、前述した高コントラスト用現像器電圧印加処理と、前述した高コントラスト用トナー供給処理とのうち、予め定められた１つの処理を実行する。高コントラストモードで記録用紙２４に画像を形成する処理が終了するとステップ１２４へ移行する。
【００９９】
ステップ１２４では、各ＬＥＤ９４の発光回数をカウンタ６２にカウントさせる。ステップ１２４の処理が終了すると本画像形成処理プログラムが終了する。
【０１００】
なお、この場合、上記ステップ１００、上記ステップ１０８、上記ステップ１１０、及びステップ１２２の処理が本発明のコントラスト調整手段に相当する。
【０１０１】
以上、本発明を上記実施形態を用いて説明したが、本発明の技術的範囲は上記実施形態に記載の範囲には限定されない。発明の主旨を逸脱しない範囲で上記実施形態に多様な変更または改良を加えることができ、当該変更または改良を加えた形態も本発明の技術的範囲に含まれる。
【０１０２】
また、上記実施形態は、特許請求の範囲に記載された発明を限定するものではなく、また、上記実施形態の中で説明されている特徴の組み合わせの全てが発明の解決手段に必須であるとは限らない。上記実施形態には種々の段階の発明が含まれており、開示される複数の構成要件における適宜の組み合わせにより種々の発明を抽出できる。上記実施形態に示される全構成要件から幾つかの構成要件が削除されても、効果が得られる限りにおいて、この幾つかの構成要件が削除された構成が発明として抽出され得る。
【０１０３】
例えば、上記実施形態では、画像形成処理をソフトウェア構成によって実現した場合について説明したが、本発明はこれに限定されるものではなく、例えば、当該画像形成処理をハードウェア構成により実現する形態とすることもできる。この場合の形態例としては、例えば、図４に示したＣＰＵ３４の各構成要素と同一の処理を実行する機能デバイスを作成して用いる形態が例示できる。この場合は、上記実施形態に比較して、画像処理の高速化が期待できる。
【０１０４】
また、上記実施形態で説明した画像形成装置１０の構成（図１参照）、及び画像形成装置１０の電気系の構成（図３参照）は一例であり、本発明の主旨を逸脱しない範囲内において適宜変更可能であることは言うまでもない。
【０１０５】
また、上記実施形態で説明した画像形成処理プログラム（図５参照）の処理の流れも一例であり、本発明の主旨を逸脱しない範囲内において不要なステップを削除したり、新たなステップを追加したり、処理順序を入れ替えたりすることができることは言うまでもなく、適宜変更可能である。例えば、上記実施形態では、ＬＰＨ１６の劣化の度合を精度良く判定するために、ＬＰＨ１６の劣化の度合を示す特性値として発光回数を取得する処理と、ＬＰＨ１６の劣化の度合を示す特性値として基準画像の濃度を取得する処理との２つの処理を実行する例を挙げて説明したが、何れか一方の処理を実行するだけでもＬＰＨ１６の劣化の度合を判定することができることは言うまでもない。
【０１０６】
また、上記実施形態では、ＵＩパネル４０に対して指示入力を行うことによって通常コントラストモードにするか高コントラストモードにするかの判断をユーザに委ねる処理を含める形態を例に挙げて説明したが、当該処理を削除しても良い。
【０１０７】
また、上記実施形態では、所定の重要度の画像データの一例としてＦＡＸ部４６で受信された画像データを挙げたが、所定の重要度の画像データはＦＡＸ部４６で受信した画像データ以外の画像データであっても良い。例えば、複数の端末４２が通信インタフェース４４を介してＣＰＵ３４に接続されている場合、特定の端末４２からＣＰＵ３４に入力される画像データを「所定の重要度の画像データ」として扱っても良い。
【０１０８】
また、上記実施形態では、所定の重要度の画像データがＣＰＵ３４に入力された場合に限り、高コントラストモードでの画像形成を可能にする例を挙げて説明したが、画像データの重要度の如何に拘らずＬＰＨ１６の劣化の度合が予め定められた度合を超えた場合に高コントラストモードでの画像形成を行うようにしても良い。
【０１０９】
また、上記実施形態では、高コントラストモードで記録用紙２４に画像を形成する処理を実行する場合に、高コントラスト用照射処理と、高コントラスト用帯電ローラ電圧印加処理と、高コントラスト用現像器電圧印加処理と、高コントラスト用トナー供給処理とのうち、予め定められた１つの処理を実行する例を挙げて説明したが、これらの処理のうちの何れか２つ以上の処理を組み合わせて、それらの処理を実行するようにしても良い。このように、高コントラストモードで記録用紙２４に画像を形成する処理を実行する場合に、高コントラスト用照射処理と、高コントラスト用帯電ローラ電圧印加処理と、高コントラスト用現像器電圧印加処理と、高コントラスト用トナー供給処理とのうち、少なくとも１つの処理を実行すれば良い。
【０１１０】
また、上記実施形態では、複数のＬＥＤ９４の各々に対して濃度センサ２０を設け、各濃度センサ２０により得られた濃度の平均値を「基準画像の濃度」としたが、各濃度センサ２０により得られた濃度のうち、最も低い濃度を「基準画像の濃度」としても良く、「基準画像の濃度」を求める方法は、画像形成装置１０の設計仕様や製造コストなどを考慮して、状況に最も合うと考えられる方法を採用すれば良い。
【０１１１】
また、上記実施形態では、ＬＰＨ１６を構成している全てのＬＥＤ９４を対象にして、それらのＬＥＤ９４の発光回数をカウントする例を挙げて説明したが、複数のＬＥＤ９４のうちの１つのＬＥＤ９４を対象にして、そのＬＥＤ９４の発光回数をカウントするようにしても良い。また、１つのＬＥＤチップ９６を対象にして、そのＬＥＤチップ９６に含まれる全てのＬＥＤ９４の発光回数をカウントするようにしても良い。このように、何れのＬＥＤ９４を対象にして発光回数をカウントするかは画像形成装置１０の設計仕様や製造コストなどを考慮して決定すれば良い。
【０１１２】
また、上記実施形態では、ＵＩパネル４０によりコントラストを上げる旨を表示する例を挙げて説明したが、画像形成装置１０との間で有線通信又は無線通信が可能な外部通信装置にコントラストを上げる旨を表示するようにしても良い。
【０１１３】
更に、上記実施形態では、ＬＰＨ１６により感光体ドラム１２の表面に静電潜像を形成する画像形成装置に本発明を適用した例を挙げて説明したが、ＬＰＨ１６の代わりに、レーザー走査書き込み装置を利用して感光体ドラム１２の表面に静電潜像を形成する画像形成装置に本発明を適用しても良い。この場合、レーザー走査書き込み装置の劣化の度合を示す特性値として例えばレーザー走査書き込み装置から照射されるレーザビームの照射回数と照射回数閾値とを比較し、当該照射回数が照射回数閾値を超えた場合にレーザー走査書き込み装置の劣化の度合が予め定められた度合を超えたと判断して通常コントラストモードから高コントラストモードへ移行するようにしても良いし、感光体ドラム１２の表面に基準画像を形成し、その基準画像の濃度を取得し、当該濃度が濃度閾値よりも低い場合にレーザー走査書き込み装置の劣化の度合が予め定められた度合を超えたと判断して通常コントラストモードから高コントラストモードへ移行するようにしても良い。更に、「基準画像の濃度」＜「濃度閾値」の関係、及び「照射回数」＞「照射回数閾値」の関係の双方の関係を満たした場合に通常コントラストモードから高コントラストモードへ移行するようにしても良い。
【図面の簡単な説明】
【０１１４】
【図１】実施形態に係る画像形成装置の構成を示す概略断面側面図である。
【図２】実施形態に係るＬＰＨの構成を示す側面図及び斜視図である。
【図３】実施形態に係る画像形成装置の電気系の要部構成を示すブロック図である。
【図４】実施形態に係るＣＰＵの機能的な構成を示す機能ブロック図である。
【図５】実施形態に係る画像形成処理プログラムの処理の流れを示すフローチャートである。
【符号の説明】
【０１１５】
１０  画像形成装置
１２  感光体ドラム（像保持体）
１４  帯電ローラ
１６  ＬＰＨ（発光素子）
１８  現像器（現像手段）
２０  濃度センサ（特性値取得手段）
３４  ＣＰＵ（コントラスト調整手段）
４０  ＵＩパネル（報知手段，受付手段）
４８  トナー供給制御部
５２  現像器制御部
５６  帯電ローラ制御部
６０  ＬＰＨ制御部
６２  カウンタ（特性値取得手段）
６４  画像形成処理制御部
７０  濃度判定部（特性値取得手段）
７２  濃度閾値記憶部
７４  発光回数判定部（特性値取得手段）
７６  発光回数閾値記憶部
７８  帯電ローラ用印加電圧値記憶部
８０  ＬＰＨ制御用データ記憶部
８２  現像器用印加電圧値記憶部
８４  トナー供給用データ記憶部
９４  ＬＥＤ
【図１】
2008249849.tif 000003
【図２】
2008249849.tif 000004
【図３】
2008249849.tif 000005
【図４】
2008249849.tif 000006
【図５】
2008249849.tif 000007